(57)【要約】【課題】ヒートポンプ装置を搭載した衣類乾燥機により、その設置空間の除湿及び同場所に吊り干しした衣類の乾燥時間を短縮する。【解決手段】乾燥用空気が内槽５とヒートポンプ装置２５とを循環するように接続した循環風路１４、１７と、循環風路１４、１７に乾燥用空気を機外に排気する排気口２８と、乾燥用空気を循環側又は排気口側へと流れるように切り替える排気弁３０と、循環風路に外気を導入する吸気口３１と、前記吸気口を開閉する吸気弁３２を備え、本体１の上部より除湿後の空気を排気するようにしたものである。【選択図】図１
2007068871.tif 000002
【特許請求の範囲】
【請求項１】
本体と、前記本体内に支持した外槽と、前記外槽内に回転可能に設けた内槽と、前記内槽内に乾燥用空気を供給する送風手段と、前記乾燥用空気を除湿加熱するヒートポンプ装置と、前記乾燥用空気が内槽とヒートポンプ装置とを循環するように接続した循環風路と、前記内槽を駆動する駆動手段と、前記循環風路に乾燥用空気を機外に排気する排気口と、前記乾燥用空気を循環側又は排気口側へと流れるように切り替える排気弁と、前記循環風路に外気を導入する吸気口と、前記吸気口を開閉する吸気弁を備え、前記本体の上部より除湿後の空気を排気する構成とした衣類乾燥機。
【請求項２】
排気口は、ヒートポンプ装置の放熱器の下流側に設けた請求項１記載の衣類乾燥機。
【請求項３】
排気口は、外槽とヒートポンプ装置の放熱器との間の循環風路に設けた請求項２記載の衣類乾燥機。
【請求項４】
排気口は、外槽とヒートポンプ装置の吸熱器との間の循環風路に設けた請求項２記載の衣類乾燥機。
【請求項５】
乾燥用空気の一部が循環風路を流れ、一部が排気口より機外へ排気するようにした請求項２〜４のいずれか１項に記載の衣類乾燥機。
【請求項６】
循環風路と外槽との連結部を溢水口より上方に位置させた請求項１〜５のいずれか１項に記載の衣類乾燥機。
【請求項７】
循環風路と外槽との連結部を溢水口より下方に位置させ、前記連結部の上流側又は下流側の循環風路の一部を溢水口より上方に位置させた請求項１〜５のいずれか１項に記載の衣類乾燥機。
【請求項８】
ヒートポンプ装置を溢水口より上方に位置させた請求項１〜５のいずれか１項に記載の衣類乾燥機。
【請求項９】
ヒートポンプ装置の少なくとも放熱器と吸熱器を溢水口より上方に位置させた請求項１〜５のいずれか１項に記載の衣類乾燥機。
【請求項１０】
循環風路内にフィルターを設け、前記フィルターは内槽からの空気と吸気口から導入した外気の合流部又は合流部の下流側に設けた請求項１〜９のいずれか１項に記載の衣類乾燥機。
【請求項１１】
内槽内に収容した衣類の洗濯を可能にした請求項１〜１０のいずれか１項に記載の衣類乾燥機。
【発明の詳細な説明】
【技術分野】
【０００１】
本発明は、衣類の乾燥を行う衣類乾燥機及び洗濯機能を備えた衣類乾燥機に関するものである。
【背景技術】
【０００２】
従来のドラム式衣類乾燥機は図９に示すような構成であった。以下、その構成について説明する。図に示すように、外装ケース６１内に水平軸６２を中心軸として回転する回転ドラム６３が配置してある。上記回転ドラム６３の前面に形成された衣類投入口６４は外装ケース６１の前面に開口しており、扉６５で開閉されるようにしてある。外装ケース６１内には、回転ドラム６３の内部に設定される乾燥室６６を含む循環風路６７が構成してある。循環風路６７は、途中に乾燥室６６、送風室６８、熱交換室６９などを有し、乾燥室６６の空気がその背壁の回転ドラム側排気口７０から送風室６８に流れ、次いで熱交換室６９を通って乾燥室６６の前方に設けた吹き出し口７１から再度この乾燥室６６に循環するようにしてある。
【０００３】
送風室６８にはファン７２が設けられ、熱交換室６９には上流側に吸熱器７３、下流側に放熱器７４がそれぞれ配置してある。これら吸熱器７３、放熱器７４は圧縮機７５、キャピラリーチューブ等の膨張機構７６などでヒートポンプ装置を構成しており、乾燥室６６からの高湿空気が前記吸熱器７３で冷却されて除湿され、その後乾燥空気となって放熱器７４に至り、加熱され高温空気となる。そして、この高温空気は吹き出し口７１から乾燥室６６に供給され、その中の衣類Ａの乾燥に供される。７７はモータで、その回転はベルト７８、７９を介して回転ドラム６３及びファン７２に伝達される。
【０００４】
ところで、循環風路６７内の空気をそのまま循環すると、その空気全体の持つ熱量が増えるとともにヒートポンプサイクル内の冷媒の持つ熱量が増え、その温度及び圧力が高くなり、やがて圧縮機７５に過負荷がかかり、ヒートポンプ装置を安全な状態に安定させることができない。そこで、吸熱器７３の下流側に外気の吸気口８０を設け、外気を取り入れるとともに、放熱器７４から乾燥室６６に至る循環風路６７に排気口８１を設け、この排気口８０から放熱器７４で加熱された高温空気の一部を排出して循環風路６７の外へと放熱するようにした循環式のものが考えられている（例えば、特許文献１参照）。
【特許文献１】特開平７−１７８２８９号公報
【発明の開示】
【発明が解決しようとする課題】
【０００５】
しかしながら、上記従来の構成では吸熱器７３の下流側に外気の吸気口あるため、乾燥機を設置している室内空間の除湿は行うことができなかった。また、機外へ排気する除湿後の空気により、空間に吊り干しした衣類の乾燥を行う際にも乾燥時間がかかるものであった。
【０００６】
本発明は、このような従来の構成の課題を解決しようとするもので、設置空間の除湿及び吊り干し衣類の乾燥時間を短縮することを目的とする。
【課題を解決するための手段】
【０００７】
上記従来の課題を解決するために、本発明の衣類乾燥機は、乾燥用空気が内槽とヒートポンプ装置とを循環するように接続した循環風路と、循環風路に乾燥用空気を機外に排気する排気口と、前記乾燥用空気を循環側又は排気口側へと流れるように切り替える排気弁と、前記循環風路に外気を導入する吸気口と、前記吸気口を開閉する吸気弁を備え、前記本体の上部より除湿後の空気を排気するようにしたものである。
【０００８】
これにより、設置空間の除湿及び吊り干し衣類の乾燥時間を短縮することができる。
【発明の効果】
【０００９】
本発明の衣類乾燥機は、衣類乾燥機の設置場所の除湿が行え快適な空間を作ることができるとともに、その空間におけるカビの発生も抑えることができる。また、設置場所での衣類の吊り下げ乾燥の時間を短縮することができる。
【発明を実施するための最良の形態】
【００１０】
第１の発明は、本体と、前記本体内に支持した外槽と、前記外槽内に回転可能に設けた内槽と、前記内槽内に乾燥用空気を供給する送風手段と、前記乾燥用空気を除湿加熱するヒートポンプ装置と、前記乾燥用空気が内槽とヒートポンプ装置とを循環するように接続した循環風路と、前記内槽を駆動する駆動手段と、前記循環風路に乾燥用空気を機外に排気する排気口と、前記乾燥用空気を循環側又は排気口側へと流れるように切り替える排気弁と、前記循環風路に外気を導入する吸気口と、前記吸気口を開閉する吸気弁を備え、前記本体の上部より除湿後の空気を排気する構成としたことにより、乾燥機の設置場所の除湿を行い快適な空間を作ることができるとともに、その空間におけるカビの発生も抑えることができる。また、設置場所での衣類の吊り下げ乾燥の時間を短縮することができる。
【００１１】
第２の発明は、特に、第１の発明の排気口をヒートポンプ装置の放熱器の下流側に設けたことにより、除湿後の空気を放熱器で加熱して高温空気として排気するので、衣類の吊り下げ乾燥の時間をさらに短縮することができる。
【００１２】
第３の発明は、特に、第２の発明の排気口を外槽とヒートポンプ装置の放熱器との間の循環風路に設けたことにより、放熱器で加熱した高温空気をロスが少ない早い段階で排気するので、衣類の吊り下げ乾燥の時間をさらに短縮することができる。
【００１３】
第４の発明は、特に、第２の発明の排気口を外槽とヒートポンプ装置の吸熱器との間の循環風路に設けたことにより、放熱器で加熱した高温空気は内槽内を一端通過するので、内槽及び内槽内の衣類の乾燥が同時にできる。
【００１４】
第５の発明は、特に、第２〜４のいずれか１つの発明において、乾燥用空気の一部が循環風路を流れ、一部が排気口より機外へ排気するようにしたことにより、乾燥機の設置場所の除湿やその空間におけるカビの発生を抑え、また設置場所での衣類の吊り下げ乾燥の時間を短縮することができるとともに、内槽及び内槽内の衣類の乾燥が同時にできる。
【００１５】
第６の発明は、特に、第１〜５のいずれか１つの発明において、循環風路と外槽との連結部を溢水口より上方に位置させたことにより、洗濯時の水がヒートポンプ装置へ侵入し、吸熱器、放熱器あるいは圧縮機が浸漬することがなく、故障や能力低下を抑えることができる。
【００１６】
第７の発明は、特に、第１〜５のいずれか１つの発明において、循環風路と外槽との連結部を溢水口より下方に位置させ、前記連結部の上流側又は下流側の循環風路の一部を溢水口より上方に位置させたことにより、洗濯時の水がヒートポンプ装置へ侵入し、吸熱器、放熱器あるいは圧縮機が浸漬することがなく、故障や能力低下を抑えることができる。
【００１７】
第８の発明は、特に、第１〜５のいずれか１つの発明において、ヒートポンプ装置を溢水口より上方に位置させたことにより、洗濯時の水がヒートポンプ装置へ侵入し、吸熱器、放熱器あるいは圧縮機が浸漬することがなく、故障や能力低下を抑えることができる。
【００１８】
第９の発明は、特に、第１〜５のいずれか１つの発明において、ヒートポンプ装置の少なくとも放熱器と吸熱器を溢水口より上方に位置させたことにより、洗濯時の水がヒートポンプ装置へ侵入し、吸熱器、放熱器あるいは圧縮機が浸漬することがなく、故障や能力低下を抑えることができる。
【００１９】
第１０の発明は、特に、第１〜９のいずれか１つの発明において、循環風路内にフィルターを設け、前記フィルターは内槽からの空気と吸気口から導入した外気の合流部又は合流部の下流側に設けたことにより、乾燥中に内槽内の衣類から発生したリントや吸気口から吸気した外気中に含まれる埃が吸熱器及び放熱器に至るのを防止することができ、吸熱器及び放熱器へのリントの付着により熱交換効率が低下するのを防止することができる。また、循環風路及び外気の集塵を１つのフィルターで集めることができ、フィルターのメンテナンスを容易にするとともに、安価な衣類乾燥機を提供できる。
【００２０】
第１１の発明は、特に、第１〜１０のいずれか１つの発明において、内槽内に収容した衣類の洗濯を可能にしたことにより、衣類の洗濯から乾燥までを同一槽内で一貫して行うことができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における洗濯機能を備えた衣類乾燥機の断面図、図２は同衣類乾燥機の背面図、図３は同衣類乾燥機のヒートポンプ装置の構成と乾燥用空気の流れを示すシステム概念図である。
【００２３】
本体１の内部には、複数のサスペンション２によって弾性的に支持された円筒状の外槽３を設け、洗濯、脱水時の振動をサスペンション２によって吸収する。外槽３の内部には、衣類４を収容する円筒状の内槽５を回転可能に設け、駆動手段であるモータ６により回転駆動される。外槽３は洗濯工程においては、衣類４の洗濯室となり、乾燥工程においては、衣類４の乾燥室となる。
【００２４】
本体１の前面には衣類４を出し入れする開口部１ａと、これを開閉する扉７が設けられている。外槽３および内槽５の前面側にも同様の開口部を有し、この外槽３の開口部はベローズ８によって本体１の開口部１ａと水密に連結されている。外槽３の底部には洗濯水を排出する排水口９を有し、排水経路を開閉する排水弁１０に連結されている。洗濯時は排水弁１０が閉じられ、外槽３内に所定量の洗濯水を溜めることができる。送風手段である送風ファン１２は、図１に示すように本体１の上方に設けられている。
【００２５】
送風ファン１２は、内槽５及び外槽３を通過してきた乾燥用空気を外槽３の上方に設けられた外槽排気口１３から吸込み、外槽３の背面に設けられた上流側循環風路１４内を送風させ、矢印ａのように上流側循環風路入口１５から上流側循環風路出口１６へと導出する。また、外槽３の外面には下流側循環風路１７が設けられ、下流側循環風路入口１８から入った乾燥用空気を矢印ｂの方向に送風して吹き出し口１９から外槽３及び内槽５内に供給する。
【００２６】
外槽３の背面下部には、圧縮機２０と圧縮された冷媒の熱を放熱する放熱器２１と高圧の冷媒の圧力を減圧するための絞り手段２２と減圧されて低圧となった冷媒が周囲から熱を奪う吸熱器２３とを冷媒が循環するように管路２４で連結したヒートポンプ装置２５を配置し、本体１内の空きスペースを有効利用して収容されている。熱交換風路２６は、送風ファン１２により送風される空気を矢印ｃの方向に吸熱器２３から放熱器２１へと流すためのものであり、図２に示すように、本体１の左右方向に圧縮機２０を吸熱器２３及び放熱器２１と並べて熱交換風路２６の内部に収容している。熱交換風路２６の入口側は上流側循環風路出口１６と連通され、出口側は下流側循環風路入口１８と連通されている。
【００２７】
送風ファン１２で送風される乾燥用空気は、図３の矢印２７に示すように、上流側循環風路１４を通り、熱交換風路２６内の吸熱器２３及び放熱器２１を通過した後、下流側循環風路１７を通り、吹き出し口１９から外槽３及び内槽５内に入り、内槽５内の衣類４を通過した後、外槽排気口１３を通って再び送風ファン１２へと戻り、循環するようになっている。つまり、外槽３と上流側循環風路１４、熱交換風路２６及び下流側循環風路１７は乾燥用空気の循環風路を形成している。
【００２８】
吸熱器２３から外槽３に至るまでにの循環風路を流れる空気を、循環風路から本体１の外へ排気する排気口２８が設けられ、より具体的には、下流側循環風路１７の途中に排気口２７と連通した排気風路２９を設けている。排気口２８手前には排気弁３０を設け、排気弁３０の開閉にて排気を行うかどうかを選択することができる。
【００２９】
外槽３からに吸熱器２３に至るまでの上流側循環風路１４に外気を吸気する吸気口３１が設けられている。吸気口３１は外槽３と吸熱器２３の間に位置し、より具体的には、外槽３から吸熱器２３に至るまでの上流側循環風路１４の途中に、外槽３と送風ファン１２の間に位置している。吸気口３１の手前には吸気弁３２を設け、吸気弁３２の開閉にて吸気を行うかどうかを選択することができる。
【００３０】
送風ファン１２は吸気口３１と排気口２８の間に位置するように構成している。また、上流側循環風路１４の途中には、空気中の異物を除去するフィルター手段として合繊ネット等からなるフィルター３３が着脱可能に設けられている。
【００３１】
下流側循環風路１７と下流側循環風路入口１８とは、蛇腹状の伸縮可能な可撓性材料からなる給気ホース３４を介して連通し、外槽排気口１３と上流側循環風路入口１５も同様に、蛇腹状の伸縮可能な可撓性材料からなる排気ホース３５を介して連通しており、外槽３の振動がヒートポンプ装置２５へと伝達されることを防いでいる。また、熱交換風路２６の下部には、吸熱器２３からの除湿水を貯めるドレン水容器３６が設けられており、ドレン水容器３６に貯まった水は排水ポンプ３７から機体外へと排出される。
【００３２】
また、ヒートポンプ装置２５は、圧縮機２０、および圧縮された冷媒の熱を放熱する放熱器２１、および高圧の冷媒の圧力を減圧するための絞り弁や毛細管等からなる絞り手段２２、および減圧されて低圧となった冷媒が周囲から熱を奪う吸熱器２３とを冷媒が循環するように管路２４で連結されており、冷媒は図３の矢印３８の方向に流れて循環し、ヒートポンプサイクルを実現する。また、制御手段３９は、駆動モータ６や排水弁１０、送風ファン１２及び圧縮機２０等を駆動して洗濯、脱水、乾燥工程を制御する。
【００３３】
以上のような構成において、次にこの動作について説明する。洗濯工程では、排水弁１０を閉じた状態で外槽３内に所定の水位に達するまで給水を行い、駆動モータ６により衣類４と洗浄水の入った内槽５を回転させて衣類４の洗濯を行う。また、洗濯後の濯ぎ工程でも、洗濯工程と同様に外槽３内に給水を行い、内槽５を回転させて衣類４の濯ぎを行う。脱水工程では、排水弁１０を開いて機外へ水を排水した後、駆動モータ６により衣類４の入った内槽５を高速回転して脱水する。
【００３４】
乾燥工程では、ヒートポンプ装置２５の圧縮機２０を作動させると、冷媒が圧縮され、この圧力により放熱器２１、絞り手段２２、吸熱器２３を循環する。放熱器２１では冷媒の圧縮の熱が放出され、吸熱器２３では絞り手段２２で減圧されて低圧となった冷媒により熱が吸収される。このとき送風ファン１２が作動し、放熱器２１の放熱により加熱された温風が下流側循環風路１７を通って吹き出し口１９から外槽３及び内槽５内に送風される。内槽５は駆動モータ６により回転駆動され衣類４は上下に攪拌される。
【００３５】
内槽５内に送風された温風は、この衣類４の隙間を通るときに水分を奪い、湿った状態で外槽３の外槽排気口１３を経て上流側循環風路１４を通り、熱交換風路２６に至る。この湿った温風は、吸熱器２３を通過する際に顕熱と潜熱が奪われて除湿され、低温の空気と除湿水に分離される。この低温の空気は、放熱器２１で再び加熱され低い相対湿度の温風となる。このとき吸気弁３２、排気弁３０は吸気口３１、排気口２８側が閉じられており、乾燥用空気は内槽５、下流側循環風路１７、上流側循環風路１４、ヒートポンプ装置２５を循環する。吸熱器２３で結露した除湿水は、ドレン水容器３６に貯まり、排水ポンプ３７から本体１外へと排出される。上記動作を繰り返すことにより、衣類４の乾燥が進行される。
【００３６】
次に、洗濯乾燥機を設置している場所（ここでは浴室を含む洗面所とする）を除湿する、あるいは、吊り下げた衣類を乾燥する場合について説明する。
【００３７】
吸気弁３２、排気弁３０は開放した状態で送風ファン１２を運転する。送風ファン１２の運転に伴い、送風ファン１２の吸い込み口側に存在する吸気口３１は大気に対して負圧になり、吹き出し口側に存在する排気口２８は大気に対して正圧となる。このため、確実に外気は吸気口３１から下流側循環風路１４内に吸気され、ヒートポンプ装置２５を通過し、排気風路２９を経て排気口２８から本体１外へと排出される。
【００３８】
これにより、外気はヒートポンプ装置２５内を流れ、吸熱器２３で除湿され、放熱器２１で加熱される。従って、乾燥機を設置した洗面所（空間）は除湿されることになる。また、排気口２８から排出される空気は、洗面所あるいは浴室に吊るした衣類と接触し、衣類の乾燥を促進する。
【００３９】
なお、排気口２８を外槽３とヒートポンプ装置２５の放熱器２１の間に設けた場合は、乾燥用空気を衣類の乾燥に使用でき、乾燥時間を短くすることができる。
【００４０】
また、図４のシステム概念図に示すように、排気口２８を外槽３とヒートポンプ装置２５の吸熱器２１との間の上流側循環風路１４に設けた場合は、内槽５内で洗濯または乾燥が行われていないときに、低湿高温の乾燥用空気を内槽５内および外槽３内を通過させることができるので、浴室を含む洗面所の除湿、吊り干しした衣類に加え、外槽３内を乾燥することができ、外槽３内のカビの発生を抑えることができる。
【００４１】
さらに、吸気弁３２及び排気弁３０を調整し、乾燥用空気の一部が循環風路を流れ、一部が排気口２８より本体外に排気するようにすることで、洗面所及び浴室に吊り下げた衣類と、内槽５内の衣類４を同時に乾燥でき使い勝手を向上できる。
【００４２】
（実施の形態２）
図５は、本発明の第２の実施の形態における洗濯機能を備えた衣類乾燥機の断面図である。なお、第１の実施の形態と同一構成要件は同一符号を付して詳細な説明は省略する。
【００４３】
下流側循環風路１７、上流側循環風路１４と外槽３との連結部４０、４１を溢水口４２より上方に位置させた構成としている。
【００４４】
以上のような構成において、次に、この動作について説明する。一連の洗濯工程及び洗面所の除湿については実施の形態１と同様なので、相違点のみ説明する。
【００４５】
洗濯工程において、給水時、内槽５の攪拌運転もしくは所定水位以上に内槽５内へ水が来た場合は、溢水口４２から排水するように構成している。また、下流側循環風路１７、上流側循環風路１４と外槽３との連結部４０、４１を、溢水口４２の高さＨより上方に位置させた構成にしているので、連結部４０、４１よりヒートポンプ装置２５に水又は洗浄液が侵入し、放熱器２１、吸熱器２３、圧縮機２０などが浸漬することを防ぐことができ、故障や性能低下を抑えることができる。
【００４６】
また、図６に示すように、下流側循環風路１７と外槽３との連結部４０を溢水口より下方に位置させ、前記連結部４０の下流側循環風路１７の一部１７ａが溢水口４２より上方に位置するように略Ｕ字状に曲げて形成しても、同様の効果が得られる。なお、上流側循環風路１４と外槽３との連結部４１についても同様である。
【００４７】
さらに、図７に示すように、ヒートポンプ装置２５を溢水口４２の高さＨより上方に位置させた場合も、ヒートポンプ装置２５への水の浸入を防ぐことができ、同様の効果が得られる。
【００４８】
また、ヒートポンプ装置２５の少なくとも放熱器２１と吸熱器２３を溢水口４２の高さＨより上方に位置させ、圧縮機２０を循環風路又は熱交換器外に設置することでも同様の効果が得られる。
【００４９】
（実施の形態３）
図８は、本発明の第３の実施の形態における洗濯機能を備えた衣類乾燥機の断面図である。なお、第１の実施の形態と同一構成要件は同一符号を付して詳細な説明は省略する。上流側循環風路１４内にフィルター４３を設け、前記フィルター４３は内槽５からの空気と吸気口３１から導入した外気の合流部４４の下流側に設けている。
【００５０】
以上のような構成において、次にこの動作について説明する。一連の洗濯工程及び洗面所の除湿については実施の形態１と同様なので、相違点のみ説明する。
【００５１】
外槽３及び内槽５を通過してきた空気中には衣類４から出たリントが含まれているが、フィルター４３がこれを回収し、リントが送風ファン１２、吸熱器２３及び放熱器２１に至ることを防止するとともに、排気口２８から機体外へと飛散することも防止している。フィルター４３はこれと同時に、吸気口３１から吸気した外気中に含まれる埃を回収し、埃が送風ファン１２、吸熱器２３及び放熱器２１に至ることも防止している。
【００５２】
したがって、乾燥中に内槽５内の衣類４から発生したリントに加えて、吸気口３１から吸気した外気中に含まれる埃が吸熱器２３及び放熱器２１に至るのを防止することができ、吸熱器２３及び放熱器２１へのリントの付着により熱交換効率が低下するのを防止することができる。また、循環風路及び外気の集塵を１つのフィルター４３で集めることができ、フィルター４３のメンテナンスを簡便にするとともに、安価な衣類乾燥機を提供できる。なお、循環風路内のフィルター４３は内槽５からの空気と吸気口３１から導入した外気の合流部に設けても良い。
【００５３】
また、本実施の形態では、洗濯から乾燥までを同一の槽内で自動で行う洗濯機能付の衣類乾燥機にヒートポンプ装置２５を搭載したときの例について述べているが、これに限定されるものではなく、乾燥のみを行う衣類乾燥機であっても同様の効果が得られる。
【００５４】
また、本実施の形態ではドレン水容器３６内の除湿水を排出する手段として排水ポンプ３７を設けているが、排出口を設けて水を排出するようにしても良い。
【産業上の利用可能性】
【００５５】
以上のように、本発明にかかる衣類乾燥機は、乾燥機の設置場所の除湿を行い快適な空間を作ることができるとともに、その空間におけるカビの発生も抑えることができ、また設置場所での衣類の吊り下げ乾燥の時間を短縮することができ、衣類の乾燥を行う衣類乾燥機及び洗濯機能を備えた衣類乾燥機に有用である。
【図面の簡単な説明】
【００５６】
【図１】本発明の実施の形態１の洗濯機能を備えた衣類乾燥機の断面図
【図２】同同衣類乾燥機の背面図
【図３】同同衣類乾燥機のシステム概念図
【図４】同同衣類乾燥機の他の例のシステム概念図
【図５】本発明の実施の形態２の洗濯機能を備えた衣類乾燥機の断面図
【図６】同同衣類乾燥機の他の例の背面図
【図７】同同衣類乾燥機の他の例の背面図
【図８】本発明の実施の形態３の洗濯機能を備えた衣類乾燥機の断面図
【図９】従来の衣類乾燥機の断面図
【符号の説明】
【００５７】
１  本体
３  外槽
５  内槽
６  駆動モータ（駆動手段）
１２  送風ファン（送風手段）
１４  上流側循環風路
１７  下流側循環風路
２０  圧縮機
２１  放熱器
２２  絞り手段
２３  吸熱器
２４  管路
２５  ヒートポンプ装置
２８  排気口
３０  排気弁
３１  吸気口
３２  吸気弁
４２  溢水口
４３  フィルター
４４  合流部
【図１】
2007068871.tif 000003
【図２】
2007068871.tif 000004
【図３】
2007068871.tif 000005
【図４】
2007068871.tif 000006
【図５】
2007068871.tif 000007
【図６】
2007068871.tif 000008
【図７】
2007068871.tif 000009
【図８】
2007068871.tif 000010
【図９】
2007068871.tif 000011